(57)【要約】【課題】傘布と傘骨との接合の利便性及び信頼性が両立できる傘の提供を目的とする。【解決手段】本考案は、複数の傘面２１が接合されてなった傘布２と、前記傘布２の裡面に沿って支持すると共に開傘、閉傘の動作に制御される複数の支持骨１１を有する傘骨１と、を備えている傘であって、各前記支持骨１１からそれぞれ突出するように設けられている複数の第１の接合手段１２と、前記第１の接合手段１２と同数で、前記傘布２にそれぞれ設けられていると共に、前記第１の接合手段１２と接合されている第２の接合手段２２と、を備えていることを特徴とする傘。【選択図】図１
0003177112.tif 000002
【実用新案登録請求の範囲】
【請求項１】
複数の傘面が接合されてなった傘布と、前記傘布の裡面に沿って支持すると共に開傘、閉傘の動作に制御される複数の支持骨を有する傘骨と、を備えている傘であって、
各前記支持骨からそれぞれ突出するように設けられている複数の第１の接合手段と、
前記第１の接合手段と同数で、前記傘布にそれぞれ設けられていると共に、前記第１の接合手段と接合されている複数の第２の接合手段と、を備えていることを特徴とする傘。
【請求項２】
各前記第１の接合手段は、それぞれ前記支持骨に巻かれて固定されている固定部と、該固定部から突出するように形成されている第１の接合シートと、を有しており、
各前記第２の接合手段は、それぞれ各前記傘面が隣の前記傘面と接合されている箇所から突出するように形成されている第２の接合シートを有しており、
前記第１の接合手段と前記第２の接合手段とは、前記第１の接合シートと前記第２の接合シートとが貼り合わされることによって接合されていることを特徴とする請求項１に記載の傘。
【請求項３】
前記第１の接合手段は、プラスチック材料からなり、
前記傘布及び前記第２の接合手段は、プラスチック材料からなり、
前記第１の接合シートと前記第２の接合シートとは、熱圧接合されていることを特徴とする請求項２に記載の傘。
【請求項４】
各前記第１の接合手段は、それぞれ前記支持骨に固定されている固定部と、該固定部から突出するように形成されている接合棒と、を有しており、
各前記第２の接合手段は、それぞれ各前記傘面が隣の前記傘面と接合されている箇所から突出するように形成されていると共に、前記接合棒を受け入れることができる接合チューブを有しており、
前記第１の接合手段と前記第２の接合手段とは、前記接合棒が前記接合チューブに嵌めこまれることによって接合されていることを特徴とする請求項１に記載の傘。
【考案の詳細な説明】
【技術分野】
【０００１】
本考案は、傘に関し、特に傘布と傘骨との接合の利便性及び信頼性が両立できる傘に関する。
【背景技術】
【０００２】
従来から使われている傘は、強い風雨にさらされても傘骨が殆ど損傷しないように傘骨の強化に力を入れているが、傘布と傘骨との接合については、あまり重視されていない。
【０００３】
傘布と傘骨との接合手段として、従来では細ひもがよく使われている。強い風雨の中でこのような細ひもで傘布と傘骨とを接合した従来の傘を用いた場合に、たとえ傘骨が風雨に耐えられても、傘布と傘骨との接合手段である細ひもが傘にかかる風圧に耐えられずに切れて、傘布が傘骨から分離してしまう事故もしばしば発生している。
【０００４】
この欠点に対し、傘布と傘骨との接合手段の改良型としては、従来の細ひもに代わって風圧に強い管状接合手段を使用することが提案されている（特許文献１参照）。
【０００５】
しかしながら、特許文献１の記載によると、確かに傘布と傘骨との接合の信頼性を向上させるが、傘骨を傘布に設けられた管状接合手段に挿入することによって傘布と傘骨とを接合させるので、挿入の際に手間がかかり、傘の組み立て中に不具合が出たり、或いは組み立て時間の短縮ができないため、好ましくない。
【先行技術文献】
【特許文献】
【０００６】
【特許文献１】中国登録実用新案第２０１２２６８９８号明細書
【考案の概要】
【考案が解決しようとする課題】
【０００７】
本考案は、上記実情に鑑みてなされたものであり、接合手段の改良を通じて、傘布と傘骨との接合の利便性及び信頼性が両立できる傘を提供することを目的とする。
【課題を解決するための手段】
【０００８】
上記目的を達成するために、本考案は、複数の傘面が接合されてなった傘布と、前記傘布の裡面に沿って支持すると共に開傘、閉傘の動作に制御される複数の支持骨を有する傘骨と、を備えている傘であって、各前記支持骨からそれぞれ突出するように設けられている複数の第１の接合手段と、前記第１の接合手段と同数で、前記傘布にそれぞれ設けられていると共に、前記第１の接合手段と接合されている複数の第２の接合手段と、を備えていることを特徴とする傘を提供する。
【０００９】
前記傘の一つの実施形態として、各前記第１の接合手段は、それぞれ前記支持骨に巻かれて固定されている固定部と、該固定部から突出するように形成されている第１の接合シートと、を有しており、各前記第２の接合手段は、それぞれ各前記傘面が隣の前記傘面と接合されている箇所から突出するように形成されている第２の接合シートを有しており、前記第１の接合手段と前記第２の接合手段とは、前記第１の接合シートと前記第２の接合シートとが貼り合わされることによって接合されていることが好ましい。
【００１０】
また、前記第１の接合手段は、プラスチック材料からなり、前記傘布及び前記第２の接合手段は、プラスチック材料からなり、前記第１の接合シートと前記第２の接合シートとは、熱圧接合されていることが好ましい。
【００１１】
また、前記傘のもう一つの実施形態として、各前記第１の接合手段は、それぞれ前記支持骨に固定されている固定部と、該固定部から突出するように形成されている接合棒と、を有しており、各前記第２の接合手段は、それぞれ各前記傘面が隣の前記傘面と接合されている箇所から突出するように形成されていると共に、前記接合棒を受け入れることができる接合チューブを有しており、前記第１の接合手段と前記第２の接合手段とは、前記接合棒が前記接合チューブに嵌めこまれることによって接合されていることが好ましい。
【考案の効果】
【００１２】
上記構造により、本考案は各支持骨からそれぞれ突出するように設けられている複数の第１の接合手段と、傘布にそれぞれ設けられている複数の第２の接合手段と、の接合で、傘布を傘骨に接合するので、従来のように傘骨を傘布に設けられた管状接合手段に挿入する必要がなくなり、傘布と傘骨との接合の利便性及び信頼性が両立できる傘を提供することができる。
【図面の簡単な説明】
【００１３】
【図１】本考案における傘の第一実施形態の傘骨に形成された第１の接合手段を説明する図である。
【図２】本考案における傘の第一実施形態の傘布に形成された第２の接合手段を説明する図である。
【図３】本考案における傘の第一実施形態の傘骨と傘布との接合状態を説明する図である。
【図４】本考案における傘の第一実施形態の傘骨と傘布との接合状態を説明する断面図である。
【図５】本考案における傘の第二実施形態の傘骨に形成された第１の接合手段を説明する図である。
【図６】本考案における傘の第二実施形態の傘布に形成された第２の接合手段を説明する図である。
【考案を実施するための形態】
【００１４】
以下では、図面を参照して、本考案について詳細に説明する。ただし、本考案は下記実施例に限定されるものではない。
【００１５】
（第一実施形態）
図１〜図４は本考案の第一実施形態を示す図である。
【００１６】
本考案の傘は、複数の傘面２１が熱圧接合されてなった傘布２と、傘布２の裡面に沿って支持すると共に開傘、閉傘の動作に制御される複数の支持骨１１を有する傘骨１と、を備えている傘であって、各支持骨１１からそれぞれ突出するように設けられている複数の第１の接合手段１２と、第１の接合手段１２と同数で、傘布２にそれぞれ設けられていると共に、第１の接合手段１２と接合されている第２の接合手段２２と、を備えている。
【００１７】
この第一実施形態において、各第１の接合手段１２は射出成形により製造されたものであり、それぞれ支持骨１１に巻かれるように成形されて固定されている固定部１２１と、該固定部１２１から突出するように形成されている第１の接合シート１２２と、を有している。各第２の接合手段２２は、それぞれ各傘面２１が隣の傘面２１と接合されている箇所から突出するように形成されている第２の接合シート２２１を有している。第１の接合手段１２と第２の接合手段２２とは、第１の接合シート１２２と第２の接合シート２２１とが貼り合わされることによって接合されている。
【００１８】
なお、この第一実施形態の第１の接合手段１２は、必ずしも射出成形によって支持骨１１に形成する必要がなく、あらかじめ製造してからプレスや粘着などの方法で支持骨１１に取り付けることもできる。
【００１９】
第２の接合手段２２は、第１の接合手段１２と接合するため、第１の接合手段１２に対応する寸法に形成されている。
【００２０】
支持骨１１は、金属材料からなり、第１の接合手段１２と、傘布２及び第２の接合手段２２と、は、プラスチック材料からなる。
【００２１】
なお、第１の接合手段１２の固定部１２１と、第１の接合シート１２２、及び第２の接合手段２２の第２の接合シート２２１と、の材質、形状については、上記に限らず、必要に応じて変更することができる。
【００２２】
また、第１の接合シート１２２と第２の接合シート２２１とが貼り合わされることについては、熱圧接合によるのが好ましいが、それに限らず、縫合や粘着などを用いてもよい。
【００２３】
（第二実施形態）
続いて、本考案の第二実施形態を説明する。第一実施形態の傘の構成とは、ほとんど同一なので、同一の部材についての説明を省略し、ここではその相違点、即ち第１の接合手段及び第２の接合手段について説明する。
【００２４】
図５〜図６は本考案の第二実施形態における第１の接合手段及び第２の接合手段の構成をそれぞれ示す図である。
【００２５】
この第二実施形態における各第１の接合手段１２は、それぞれ支持骨１１に固定されている固定部１２１と、該固定部１２１から突出するように形成されている接合棒１２３と、を有しており、各第２の接合手段２２は、それぞれ各傘面２１が隣の傘面２１と接合されている箇所から突出するように形成されていると共に、接合棒１２３を受け入れることができる接合チューブ２２２を有しており、第１の接合手段１２と第２の接合手段２２とは、接合棒１２３が接合チューブ２２２に嵌めこまれることによって接合されている。
【産業上の利用可能性】
【００２６】
本考案によれば、従来の傘骨全体の傘布への挿入による傘布と傘骨との接合に比べて、特許文献１と同様に接合の信頼性を向上させることは言うまでもなく、接合手段の使用によって、傘布と傘骨とを接合する際の利便性を向上させることができ、傘の組み立て時間も短縮できるので、傘布と傘骨との接合の利便性及び信頼性が両立できる傘を提供することができる。
【符号の説明】
【００２７】
１      傘骨
１１    支持骨
１２    第１の接合手段
１２１  固定部
１２２  第１の接合シート
１２３  接合棒
２      傘布
２１    傘面
２２    第２の接合手段
２２１  第２の接合シート
２２２  接合チューブ
【図１】
0003177112.tif 000003
【図２】
0003177112.tif 000004
【図３】
0003177112.tif 000005
【図４】
0003177112.tif 000006
【図５】
0003177112.tif 000007
【図６】
0003177112.tif 000008